(57)【特許請求の範囲】
【請求項１】
長さ方向に対し直角に切断した断面が楕円形状の断熱被覆管を固定する固定具において、下方が平板状の壁面固定部とされ、この壁面固定部に、断熱被覆管を固定する空間部を形成した固定腕が取付けられてなり、この固定腕に囲まれた空間部は、下側空間部および上側空間部を有し、前記楕円形状の断熱被覆管を縦または横のいずれにも固定可能に形成されてなり、前記下側空間部は、前記楕円形状の断熱被覆管を横にして配置した状態で楕円形状の長径の円弧状面と接触し、長径の円弧状面左右双方から保持可能な寸法とされ、前記上側空間部は、前記楕円形状の断熱被覆管を縦に配置した状態で、断熱被覆管の長径の一方の円弧状面が前記固定腕の内側面と接触し、前記断熱被覆管の他方の円弧状面が前記下側空間部の下側面に接触する寸法とされてなることを特徴とする、断熱被覆管の固定具。
【請求項２】
下側空間部が上側空間部よりも大きくされてなる、請求項１に記載の断熱被覆管の固定具。
【請求項３】
固定腕は開口部で不連続とされ、かつ、双方の固定腕の先端部はＶ字状にされて開口部側に延在されてなる、請求項１または請求項２に記載の断熱被覆管の固定具。
【発明の詳細な説明】
【０００１】
【発明の属する技術分野】
本発明は、断熱被覆管の固定具に関する。さらに詳しくは、長さ方向に対し直角に切断した断面が楕円形状の断熱被覆管を固定する固定具に関する。
【０００２】
【従来の技術】
従来、一戸建て住宅、集合住宅または商業ビルなどに装備される集中冷暖房システムの冷温水配管として好適に使用される断熱被覆管、および、一戸建て住宅、集合住宅または商業ビルなどに装備される給水・給湯配管として断熱被覆管が使用されている（例えば、特開平11-82875号公報参照）。このような断熱被覆管をルートに沿って配管する際には、ルートに沿ってコーナーベント、配管サドルなどを配置し固定していた。
【０００３】
しかしながら、従来採用されていたコーナーベント、配管サドルなどは、硬質材料で調製されたもので、かつ、長さ方向に対し直角に切断した断面が円形のものであった。しかも、これらコーナーベント、配管サドルなどに断面が楕円形状の断熱被覆管を固定する場合には、硬いコーナーベント、配管サドルなどの開口部に押込む際に、断熱被覆管の表面が破損するという欠点があるほか、開口部を押え具によって上側から閉鎖する必要があり、施工作業が煩雑であるという問題があった。
【０００４】
【発明が解決しようとした課題】
本発明者らは、従来の固定具に存在していた上記欠点を、一挙に解決した固定具を提供すべく鋭意検討の結果、本発明を完成するに至ったものである。本発明の目的は、次のとおりである。
１．施工作業時に断熱被覆管の表面を破損しない固定具を提供すること。
２．施工作業が簡単な固定具を提供すること。
【０００５】
【課題を解決するための手段】
上記課題を解決するために、本発明では、長さ方向に対し直角に切断した断面が楕円形状の断熱被覆管を固定する固定具において、下方が平板状の壁面固定部とされ、この壁面固定部に、断熱被覆管を固定する空間部を形成した固定腕が取付けられてなり、この固定腕に囲まれた空間部は、下側空間部および上側空間部を有し、前記楕円形状の断熱被覆管を縦または横のいずれにも固定可能に形成されてなり、前記下側空間部は、前記楕円形状の断熱被覆管を横にして配置した状態で楕円形状の長径の円弧状面と接触し、長径の円弧状面左右双方から保持可能な寸法とされ、前記上側空間部は、前記楕円形状の断熱被覆管を縦に配置した状態で、断熱被覆管の長径の一方の円弧状面が前記固定腕の内側面と接触し、前記断熱被覆管の他方の円弧状面が前記下側空間部の下側面に接触する寸法とされてなることを特徴とする、断熱被覆管の固定具を提供する。
【０００６】
【発明の実施の形態】
以下、本発明を詳細に説明する。
本発明に係る断熱被覆管の固定具は、長さ方向に対し直角に切断した断面が楕円形状の断熱被覆管を固定するものである。本発明において断熱被覆管とは、被覆薄膜で被覆された二本の合成樹脂の管が中央部に配置され、被覆薄膜の外周面が断熱材層で被覆されてなり、この断熱材層の外周が外皮フィルムで被覆された構造のものをいう（例えば、特開平11-82875号公報参照）。被覆薄膜の内側または外側に、信号線が配置されていてもよい。断熱被覆管の大きさは、施工される建造物や建造物内の場所などによって、長径が３cm〜７cm、短径が２cm〜５cmの範囲で選ぶことができる。
【０００７】
本発明に係る断熱被覆管の固定具は、下方が平板状の壁面固定部とされ、この平板状の壁面固定部の長さ方向の中央部に、断熱被覆管を固定するための固定腕が、長さ方向に対し直角に切断した断面が、重ね餅（かがみ餅）の最大径での縦断面の外側形状に類似した構造にされて一体的に取付けられてなり、この固定腕に囲まれた空間部が断熱被覆管が縦または横に固定可能部となっている。下方の平板状の壁面固定部は、断熱被覆管を床面、壁面、天井などに取付ける際に、取付けルートに沿って床面、壁面、天井などに接触させて取付け、固定するためのものである。平板状の壁面固定部には、長さ方向の中央部および／または両端部にビス止め用の穴を設ける。平板状の壁面固定部大きさは、長さが５cm〜１０cm、幅が１．５cm〜５cmの範囲で選ぶことができる。
【０００８】
上記の平板状の壁面固定部には、その長さ方向の中央部に、断熱被覆管を固定するための固定腕が、長さ方向に対し直角に切断した断面が、重ね餅の縦断面の外側形状に類似した構造にされて一体的に取付けられている。平板状壁面固定部の長さ方向の両端部は、一方に凸状突起、他方に凹状溝をそれぞれ設けておくと、この固定具を複数個連結して配置する際に都合がよい。
【０００９】
平板状の壁面固定部は、この固定腕の下方側の空間部が、断熱被覆管を横にして配置した状態で楕円形状の断熱被覆管の長径を、左右双方から固定可能な寸法にされている（後記、図２参照）。重ね餅の下側左右内壁面の最大寸法は、楕円形状の断熱被覆管の長径より５〜２０％程度小さめにするのが好ましい。断熱被覆管の外周が断熱材層で被覆されているので、小さめの寸法の固定具によって保持すると、断熱材層が圧縮されて確実に固定される。重ね餅の下側の左右内壁面は双方とも、楕円形状の断熱被覆管の円弧状外周壁面と面接触するように円弧状にするのが、好ましい。平板状の壁面固定部は、また、固定腕の下方側の空間部が、断熱被覆管を縦にした状態で楕円形状の断熱被覆管の長径を、上下の双方から固定可能な寸法にされている（後記、図３参照）。重ね餅の下側の中央部と上側の内壁面の最大寸法は、楕円形状の断熱被覆管の長径より５〜２０％程度小さめにするのが好ましい。
【００１０】
本発明に係る断熱被覆管の固定具は、固定腕は開口部で不連続とされ、かつ、双方の固定腕の先端部はＶ字状にされて開口部側に延在させる。固定腕の不連続とされた部分は、固定腕に囲まれた空間部に断熱被覆管を挿入する際の挿入口として機能する。上側にＶ字状に延在させた部分は、断熱被覆管を挿入する際の案内部として機能する。固定腕の不連続とされた部分の間隔は、固定具を調製する材料の剛性に応じて、楕円形状の断熱被覆管の短径の寸法より、１０〜９０％程度小さめにするのが好ましい。なお、開口部は固定具の上側、右側、左側、右上側など任意の位置に設けることができるが、上側に設けるのが好ましい。また、開口部は断面が楕円形状の断熱被覆管を短径の寸法より小さめとすることにより、断熱被覆管を固定腕によって保持することができるが、開口部をバンド、ひも、クリップなどの押え具で押えることにより、確実に保持することもできる。
【００１１】
本発明に係る断熱被覆管の固定具は、金属、木材、合成樹脂などの剛性に優れた材料より調製することができる。合成樹脂は、射出成形法によって同じ形状のものを多量に製造できるので好ましい。合成樹脂としては、ポリエチレン、ポリプロピレンなどのオレフィン系樹脂、ＡＢＳ樹脂、ゴム強化ポリスチレンなどのスチレン系樹脂、ポリエチレンテレフタレート、ポリブチレンテレフタレートなどのポリエステル系樹脂、ポリカーボネート、ポリフェニレンオキサイド、などが挙げられる。中でも、コスト、物性のバランスから、オレフィン系樹脂が好適である。
【００１２】
本発明に係る断熱被覆管の固定具を使用して断熱被覆管を施工するには、まず、断熱被覆管を施工する壁面、床面、天井などのルートに沿って本発明に係る固定具を留める。この際の留め方は、仮り留めであってもよい。次いで、固定具のＶ字状延在部から、固定腕に囲まれた空間部に断熱被覆管を押し込む。固定腕に囲まれた空間部に押し込んだ断熱被覆管を、位置に応じて縦または横に位置合せする。
【００１３】
【実施例】
以下、本発明を図面に基づいて詳細に説明するが、本発明はその趣旨を越えない限り、以下の記載例に限定されるものではない。
【００１４】
図１は本発明に係る断熱被覆管の固定具の一例の側面図であり、図２は図１に示した固定具に、断熱被覆管を縦にして固定した状態の側面図であり、図３は図１に示した固定具に、断熱被覆管を横にして固定した状態の側面図である。
【００１５】
図１に示した断熱被覆管の固定具は、平面状の壁面固定部１の長さ方向中央部に、断熱被覆管を固定する空間部を形成した固定腕４が、重ね餅の最大径での縦断面の外側形状に類似した形状にされて一体的に取付けられている。断熱被覆管を固定する空間部は、下側空間部５を大きく、上側空間部６が小さくされている。平面状の壁面固定部１の一端には凸状突起２が、他方の端には凹状溝３が、中央部にはビス止用穴がそれぞれ設けられている。固定腕４は上側の不連続部７によって開口部が形成され、かつ、双方の固定腕の先端部は開口部から上側にＶ字状にされて延在されてＶ字状延在部８とされている。図示した例では、不連続部７によって開口部が固定具の上側に設けられているが、この位置に限定されないことは、前記のとおりである。図示した例では、不連続部７の幅は、断熱被覆管の短径の約１／３とされている。
【００１６】
下側空間部５は、楕円形状の断熱被覆管を横にして配置した状態で、楕円形状の長径の円弧状面と接触し、長径の円弧状面左右双方から保持する（図２参照）。固定腕４によって形成される上側空間部６は、楕円形状の断熱被覆管を縦にして配置した状態で、断熱被覆管の一方の円弧状面が固定腕４の内側面と接触し、断熱被覆管の他方の円弧状面が下側空間部５の下側面（不連続部７の真下）に接触する。この際、固定腕４の内側面が断熱被覆管を下側に押圧するので、断熱被覆管は安定的に保持・固定される（図３参照）。
【００１７】
図示した例では、断熱被覆管１０は、２本の合成樹脂管が図示されてない被覆被膜で相互接触にさせた状態とされ、断熱材層１２によって被覆され、外皮フィルム１３によって被覆されている構造のものを示した。被覆被膜の中または断熱材層の中に、信号線を配置してもよいことは、前記したとおりである。
【００１８】
【発明の効果】
本発明は、以上詳細に説明したとおりであり、次のような特別に有利な効果を奏し、その産業上の利用価値は極めて大である。
１．本発明に係る断熱被覆管の固定具は、断熱被覆管を固定腕の空間部に挿入する際に、Ｖ字状延在部でガイドして挿入するので、施工作業時に断熱被覆管の外皮フィルムを破損しない。
２．本発明に係る断熱被覆管の固定具は、剛性に優れた材料によって調製されているので、Ｖ字状延在部でガイドして固定腕の空間部に挿入したあと、固定腕によって保持されるので、断熱被覆管をさらに押え具で押える必要は必ずしもなく、施工作業が簡単である。
３．本発明に係る断熱被覆管の固定具は、一種類の固定具で、長さ方向に対し直角に切断した断面が楕円形状の断熱被覆管を縦、横のいずれにも固定できるので、配管の施工場所、位置などに制約をうけることがない。
【図面の簡単な説明】
【図１】  本発明に係る断熱被覆管の固定具の一例の側面図である。
【図２】  図１に示した固定具に、断熱被覆管を縦にして固定した状態の側面図である。
【図３】  図１に示した固定具に、断熱被覆管を横にして固定した状態の側面図である。
【符号の説明】
１：壁面固定部
２：凸状突起
３：凹状溝雌溝
４：固定腕
５：下側空間部
６：上側空間部
７：不連続部
８：Ｖ字状延在部
９：ビス止用穴
１０：断熱被覆管
１１：合成樹脂管
１２：断熱材層
１３：外皮フィルム
【図１】
0004006510.tif 000002
【図２】
0004006510.tif 000003
【図３】
0004006510.tif 000004